(57)【要約】【課題】放射線固体検出器の画素密度を向上させる。【解決手段】放射線固体検出器１０において、記録されている画像情報を画像信号として検出するための多数の信号用線状配線１５ａと、信号用線状配線と略直交する対向辺１０ｂ側に配設された、信号用線状配線１５ａと接続して信号用線状配線１５ａから信号を検出する信号検出手段とを備える。対向辺１０ｂに略直行する方向に延びる信号用線状配線１５ａの信号検出手段との接続部１５ｂを、対向辺１０ｂからの距離が異なるように配設する。【選択図】図３
2008032705.tif 000002
【特許請求の範囲】
【請求項１】
画像情報を担持する放射線の照射を受けて前記画像情報を記録し、記録した前記画像情報を表す画像信号を出力する放射線固体検出器であって、
前記記録されている画像情報を画像信号として検出するための多数の信号用線状配線と、
該信号用線状配線と略直交する直交辺側に配設された、該信号用線状配線と接続して該信号用線状配線から信号を検出する信号検出手段とを備え、
隣接する前記信号用線状配線における前記信号検出手段との接続部の前記直交辺からの距離が、互いに異なることを特徴とする放射線固体検出器。
【請求項２】
前記多数の信号用線状配線と前記信号検出手段との接続部の前記直交辺からの距離が、交互に異なることを特徴とする請求項１記載の放射線固体検出器。
【請求項３】
前記直交辺に近い位置にある接続部が、前記直交辺から遠い位置にある接続部に接続する前記信号用線状配線の延長線上にあり、前記直交辺に近い位置にある接続部に接続する前記信号用線状配線が該直交辺に近い位置にある接続部に接続するよう屈曲してなることを特徴とする請求項２記載の放射線固体検出器。
【請求項４】
前記信号検出手段が、信号検出用の集積回路を備えてなり、該集積回路における接続端子の列が前記直交辺に対して傾斜して配設され、該接続端子が前記信号用線状配線に接続されてなることを特徴とする請求項１から３のいずれか１項記載の放射線固体検出器。
【請求項５】
前記記録された画像情報を前記画像信号として出力するための、前記信号用線状配線と略直交する方向に延びる多数の走査用線状配線と、
該走査用線状配線と接続して前記画像信号を出力するための信号を送信する走査制御手段とを備えたことを特徴とする請求項１から４のいずれか１項記載の放射線固体検出器。
【請求項６】
隣接する前記走査用線状配線における前記走査制御手段との接続部の該走査用線状配線と略直交する他の直交辺からの距離が、互いに異なることを特徴とする請求項５記載の放射線固体検出器。
【請求項７】
前記多数の走査用線状配線と前記走査制御手段との接続部の前記他の直交辺からの距離が、交互に異なることを特徴とする請求項６記載の放射線固体検出器。
【請求項８】
前記他の直交辺に近い位置にある接続部が、前記他の直交辺から遠い位置にある接続部に接続する前記走査用線状配線の延長線上にあり、前記他の直交辺に近い位置にある接続部に接続する前記走査用線状配線が該直交辺に近い位置にある接続部に接続するよう屈曲してなることを特徴とする請求項７記載の放射線固体検出器。
【発明の詳細な説明】
【技術分野】
【０００１】
本発明は、画像情報を担持する放射線の照射を受けて画像情報を記録し、記録した画像情報を表す画像信号を出力する放射線固体検出器に関するものである。
【背景技術】
【０００２】
今日、医療診断等を目的とする放射線撮影において、放射線を検出して得た電荷を固体検出素子の蓄電部に一旦蓄積し、蓄積した電荷を放射線画像情報を表す画像信号に変換して出力する放射線固体検出器が各種提案、実用化されている。例えば、放射線を電荷に変換する電荷生成プロセスの面からは、光変換方式の放射線固体検出器と直接変換方式の放射線固体検出器の２つの方式が提案され、また蓄積された電荷を外部に読み出す電荷読出プロセスの面からは、ＴＦＴ（薄膜トランジスタ）読出方式と光読出方式の２つの方式が提案されている。
【０００３】
ここで、光変換方式の放射線固体検出器とは、例えば、絶縁基板上に多数の光電変換素子（固体検出素子）を行列状に形成した固体検出部（画像読取部）と、この固体検出部上に形成された蛍光体とからなるものであり、放射線が照射されることにより蛍光体から発せられた蛍光を光電変換素子で検出して得た信号電荷を光電変換素子の蓄電部（光変換方式の場合，通常は光電変換部自体が蓄電部を兼ねる）に一旦蓄積し、蓄積電荷を画像信号（電気信号）に変換して出力するものである（例えば特許文献１等）。
【０００４】
また、直接変換方式の放射線固体検出器とは、例えば、絶縁基板上に行列状に形成された多数の電荷収集電極と、この電荷収集電極上に形成された放射線が照射されると放射線情報を担持する電荷を発生する放射線導電体とを積層してなる固体検出部を有するものであり、放射線が照射されることにより放射線導電体内で発生した信号電荷を電荷収集電極で集めて蓄電部に一旦蓄積し、蓄積電荷を電気信号に変換して出力するものである（例えば特許文献２等）。
【０００５】
ＴＦＴ読出方式とは、固体検出素子の蓄電部に蓄積された信号電荷を、該蓄電部と接続されたＴＦＴを走査駆動して読み出す方式であり、光読出方式とは、固体検出素子に読取光（読取用の電磁波）を照射して読み出す方式である。
【０００６】
さらに、本願出願人は、特許文献３および特許文献４等において改良型直接変換方式の放射線固体検出器を提案している。改良型直接変換方式の放射線固体検出器とは、直接変換方式、かつ光読出方式のものであり、記録用の放射線に対して透過性を有する第１の導電体層、第１の導電体層を透過した記録用の放射線の照射を受けることにより光導電性（正確には放射線導電性）を呈する記録用光導電層、第１の導電体層に帯電される電荷と同極性の電荷に対しては略絶縁体として作用し、かつ、電荷と逆極性の電荷に対しては略導電体として作用する電荷輸送層、読取用の電磁波の照射を受けることにより光導電性（正確には電磁波導電性）を呈する読取用光導電層、および読取用の電磁波に対して透過性を有する第２の導電体層を、この順に積層してなるものであり、記録用光導電層と電荷輸送層との界面（蓄電部）に、画像情報を担持する信号電荷（潜像電荷）を蓄積するものである。第１の導電体層および第２の導電体層は電極として機能するものである。
【０００７】
上記各種方式の放射線固体検出器から出力された画像信号は、外部に出力され、後段の信号処理装置により種々の信号処理が施された後にＣＲＴ等の出力手段により可視情報等として出力される。このように、放射線固体検出器を用いることにより、被写体の放射線画像を表す画像信号を取得し、直ちに可視画像等として出力することができる。
【特許文献１】特開平０２−１６４０６７号公報
【特許文献２】特開平０１−２１６２９０号公報
【特許文献３】特開２０００−１０５２９７号公報
【特許文献４】特開２０００−１６２７２６号公報
【発明の開示】
【発明が解決しようとする課題】
【０００８】
ところで、上記の放射線固体検出器においては、放射線固体検出器と信号を検出するための回路を配設した基板とは、ＴＡＢ（ Tape Automated Bonding ）フィルムを介して接続されている。通常、図１２に示すように線状配線であるエレメント２００においては、ＴＡＢとの接続部２０１は直線状に配設されているため、エレメント２００のピッチと接続部２０１のピッチとは同一となっている。ここで、エレメント２００のピッチを狭くすることにより、放射線固体検出器の画素密度を向上させることができる。しかしながら、接続部２０１はその構成上エレメント２００よりも幅を広くする必要があるため、エレメント２００のピッチを接続部２０１のピッチよりも狭くすることができず、その結果、画素密度の向上には限界があった。
【０００９】
本発明は上記事情に鑑みなされたものであり、放射線固体検出器の画素密度を向上させることを目的とする。
【課題を解決するための手段】
【００１０】
本発明による放射線固体検出器は、画像情報を担持する放射線の照射を受けて前記画像情報を記録し、記録した前記画像情報を表す画像信号を出力する放射線固体検出器であって、
前記記録されている画像情報を画像信号として検出するための多数の信号用線状配線と、
該信号用線状配線と略直交する直交辺側に配設された、該信号用線状配線と接続して該信号用線状配線から信号を検出する信号検出手段とを備え、
隣接する前記信号用線状配線における前記信号検出手段との接続部の前記直交辺からの距離が、互いに異なることを特徴とするものである。
【００１１】
「隣接する信号用線状配線における信号検出手段との接続部の直交辺からの距離が互いに異なる」とは、具体的には、信号用線状配線と信号検出手段との接続部を、直交辺からの距離が交互に異なる位置となるように配設する、隣接する信号用線状配線の接続部の位置を多列に配設する等の手法が挙げられる。
【００１２】
ここで、多数の信号用線状配線と信号検出手段との接続部の直交辺からの距離が交互に異なる場合、前記直交辺に近い位置にある接続部が、前記直交辺から遠い位置にある接続部に接続する前記信号用線状配線の延長線上にあり、前記直交辺に近い位置にある接続部に接続する前記信号用線状配線が該直交辺に近い位置にある接続部に接続するよう屈曲してなるものとしてもよい。
【００１３】
なお、本発明による放射線固体検出器においては、前記信号検出手段を、信号検出用の集積回路を備え、該集積回路における接続端子の列が前記直交辺に対して傾斜して配設されてなり、該接続端子が前記信号用線状配線に接続されるものとしてもよい。
【００１４】
また、本発明による放射線固体検出器においては、前記記録された画像情報を前記画像信号として出力するための、前記信号用線状配線と略直交する方向に延びる多数の走査用線状配線と、
該走査用線状配線と接続して前記画像信号を出力するための信号を送信する走査制御手段とを備えるものとしてもよい。
【００１５】
この場合、隣接する前記走査用線状配線における前記走査制御手段との接続部の該走査用線状配線と略直交する他の直交辺からの距離が、互いに異なるものとしてもよい。
【００１６】
「隣接する走査用線状配線における走査制御手段との接続部における該走査用線状配線と略直交する他の直交辺からの距離が互いに異なる」とは、具体的には、隣接する走査用線状配線と走査制御手段との接続部を、他の直交辺からの距離が交互に異なる位置となるように配設する、隣接する走査用線状配線の位置を多列に配設する等の手法が挙げられる。
【００１７】
ここで、多数の走査用線状配線と走査制御手段との接続部の他の直交辺からの距離が交互に異なる場合、前記他の直交辺に近い位置にある接続部が、前記他の直交辺から遠い位置にある接続部に接続する前記走査用線状配線の延長線上にあり、前記他の直交辺に近い位置にある接続部に接続する前記走査用線状配線が該直交辺に近い位置にある接続部に接続するよう屈曲してなるものとしてもよい。
【００１８】
なお、本発明による放射線固体検出器において、「略直交」とは、完全に直交する場合のみならず、９０度を基準とした数度以内のずれを持って交わる状態をも含むものである。また、「略平行」とは、完全に平行な場合のみならず、数度以内のずれを持って並んでいる状態をも含むものである。
【００１９】
また、本発明による放射線固体検出器において、「信号用線状配線」および「走査用線状配線」は、電極がそのまま接続部まで延長されている線状の電極をも含むものである。
【発明の効果】
【００２０】
本発明の放射線固体検出器によれば、隣接する信号用線状配線における信号検出手段との接続部の、信号用線状配線と略直交する直交辺からの距離が互いに異なるものとなるようにしたものである。このため、接続部を直線状に一列に配設する場合と比較して、信号用線状配線の間隔を小さくすることができる。したがって、放射線固体検出器の画素密度を向上させることができる。
【００２１】
とくに、隣接する走査用線状配線における走査制御手段との接続部の走査用線状配線と略直交する他の直交辺からの距離が、互いに異なるものとなるようにすることにより、接続部を一列に配設する場合と比較して、走査用線状配線の間隔を小さくすることができる。したがって、放射線固体検出器の画素密度を向上させることができる。
【００２２】
また、信号検出用の集積回路を、信号用線状配線と略直交する直交辺に対して傾斜させて配設し、集積回路の接続端子を信号用線状配線に接続することにより、集積回路の接続端子をより多くすることができるため、信号用線状配線の増加に対応することが可能となる。
【発明を実施するための最良の形態】
【００２３】
以下、図面を参照して本発明の実施の形態について詳細に説明する。図１は本発明の第１の実施形態による放射線固体検出器の概略図である。図１に示すように第１の実施形態による放射線固体検出器１０は、例えば乳房の撮影に用いられる直接変換方式かつ光読出方式の放射線固体検出器であって、画像情報を担持する記録光が照射されることによりこの画像情報を静電潜像として記録し、読取光で走査されることにより静電潜像に応じた電流を発生するものである。
【００２４】
図１に示すように、第１の実施形態による放射線固体検出器１０はガラス基板１６上に形成されており、被検体８を透過した放射線（以下記録光という）に対して透過性を有する第１導電層１１、記録光の照射を受けることにより電荷を発生して導電性を呈する記録用光導電層１２、第１導電層１１に帯電される潜像極性電荷に対しては略絶縁体として作用し、かつ、潜像極性電荷と逆極性の輸送極性電荷に対しては略導電体として作用する電荷輸送層１３、読取光の照射を受けることにより電荷を発生して導電性を呈する読取用光導電層１４、読取光に対して透過性を有する第２導電層１５をこの順に積層してなるものである。記録用光導電層１２と電荷輸送層１３との界面に蓄電部１７が形成される。
【００２５】
第１導電層１１および第２導電層１５はそれぞれ電極をなすものであり、第１導電層１１の電極は２次元状に平坦な平板電極とされ、第２導電層１５の電極は図中斜線で示すように、記録されている画像情報を画像信号として検出するための多数のエレメント１５ａ（信号用線状配線）が画素ピッチでストライプ状に配されたストライプ電極とされている（例えば特許公報３記載の静電記録体を参照）。なお、ここではエレメント１５ａは、電極がそのまま接続部まで延長されている線状の電極となっている。また、エレメント１５ａの配列方向が主走査方向、エレメント１５ａの長手方向が副走査方向に対応する。
【００２６】
この放射線固体検出器１０のサイズは例えば長辺２４ｃｍ×短辺１８ｃｍで、長辺方向が主走査方向、短辺方向が副走査方向となるように撮影を行うための撮影台内（不図示）に収容される。なお、長辺３０ｃｍ×短辺２４ｃｍのものも使用可能である。
【００２７】
読取用露光光源部２０としては、ＬＥＤチップが一列に複数並べられて構成されたライン光源と、光源から出力された光を放射線固体検出器１０上で線状に照射させる光学系とからなるものを用いる。なお、光源部２０を放射線固体検出器１０と必要な距離を保ったままリニアモータからなる移動手段により、放射線固体検出器１０のエレメント１５ａの長手方向、すなわち副走査方向に走査することにより放射線固体検出器１０の全面の露光を行う。
【００２８】
図２は放射線固体検出器とプリント基板との接続態様の詳細を示す図である。図示するように、被検体に対向する被検体側辺１０ａと対向する対向辺１０ｂにおいて、放射線固体検出器１０の各エレメント１５ａがＴＡＢ（ Tape Automated Bonding ）フィルム３２上に形成されたプリントパターン（不図示）を介してチャージアンプＩＣ３３と接続され、さらにチャージアンプＩＣ３３がＴＡＢフィルム３２上に形成されたプリントパターン（不図示）を介してプリント基板３１と接続されている。なお、エレメント１５ａは被検体側辺１０ａおよび対向辺１０ｂと略直交して延在している。また、対向辺１０ｂが本願発明の直交辺に対応する。また、本実施形態では全てのエレメント１５ａを１つのチャージアンプＩＣ３３に接続するのではなく、全体として数個〜数１０個のチャージアンプＩＣ３３を設け、順次隣接する数本〜百本程度のエレメント１５ａ毎に各チャージアンプＩＣ３３に接続するようにしている。
【００２９】
なお、チャージアンプＩＣ３３をＴＡＢフィルム３２上に形成せずに、ガラス基板１６上に形成する、いわゆるＣＯＧ（ Chip On Glass ）と呼ばれる態様としてもよい。また、プリント基板３１にチャージアンプＩＣ３３を形成してもよい。
【００３０】
図３はＴＡＢフィルム３２上におけるエレメント１５ａの接続部１５ｂの配置の例を示す図である。図３に示すようにエレメント１５ａの接続部１５ｂは、隣接するエレメント１５ａの接続部１５ｂの対向辺１０ｂからの距離が互いに異なるように配設されている。すなわち、接続部１５ｂの対向辺１０ｂからの距離が、エレメント１５ａ毎に交互に異なるように接続部１５ｇが配設されている。なお、図４に示すように、隣接するエレメント１５ａのうち、接続部１５ｂが対向辺１０ｂに近くなる方のエレメント１５ａを屈曲させて、対向辺１０ｂに直交する線上に２つの接続部１５ｂが並ぶようにしてもよい。
【００３１】
図５はＴＡＢフィルム３２におけるチャージアンプＩＣ３３の配置の態様を示す図である。図５に示すようにチャージアンプＩＣ３３は、ＴＡＢフィルム３２上において、接続端子を有する辺が放射線固体検出器１０の対向辺１０ｂに対して傾斜して配設され、チャージアンプＩＣ３３の接続端子が接続部１５ｂと接続している。これにより、チャージアンプＩＣ３３の長手方向を対向辺１０ｂと平行に配設する場合と比較して、チャージアンプＩＣ３３の接続端子数を増加させることができる。
【００３２】
なお、チャージアンプＩＣ３３がガラス基板１６またはプリント基板３１上に形成される場合であっても、図５と同様に、チャージアンプＩＣ３３を放射線固体検出器１０の対向辺１０ｂに対して傾斜して配設してもよい。
【００３３】
図６はチャージアンプＩＣ３３、プリント基板３１および高電圧電源部４５の詳細、並びにこれらと放射線固体検出器１０との接続態様を示すブロック図である。
【００３４】
高電圧電源部４５は、高電圧電源４０とバイアス切換手段４２とが一体化された回路であり、高電圧電源４０は、一旦、静電記録部１０へのバイアス印加／短絡等切換えのためバイアス切換手段４２を介して静電記録部１０に接続されている。なお、この回路は、切換時に流れる電流の尖頭値を制限して装置の電流が集中する箇所の破壊を防ぐために、充放電過大電流を防止するように設計されている。
【００３５】
ＴＡＢフィルム３２上に設けられたチャージアンプＩＣ３３は、放射線固体検出器１０の各エレメント１５ａ毎に接続された多数のチャージアンプ３３ａおよびサンプルホールド（Ｓ／Ｈ）３３ｂ、各サンプルホールド３３ｂからの信号をマルチプレクスするマルチプレクサ３３ｃを備えている。放射線固体検出器１０から流れ出す電流は各チャージアンプ３３ａにより電圧に変換され、電圧がサンプルホールド３３ｂにより所定のタイミングでサンプルホールドされ、サンプルホールドされた各エレメント１５ａに対応する電圧がエレメント１５ａの配列順に切り替わるようにマルチプレクサ３３ｃから順次出力される（主走査の一部に相当する）。マルチプレクサ３３ｃから順次出力された信号はプリント基板３１上に設けられたマルチプレクサ３１ｃに入力され、さらに各エレメント１５ａに対応する電圧がエレメント１５ａの配列順に切り替わるようにマルチプレクサ３１ｃから順次出力され主走査が完了する。マルチプレクサ３１ｃから順次出力された信号はＡ／Ｄ変換部３１ａによりデジタル信号に変換され、デジタル信号がメモリ３１ｂに格納される。
【００３６】
このように、第１の実施形態においては、図３または図４に示すように、互いに隣接するエレメント１５ａのＴＡＢフィルム３２との接続部１５ｂの位置を、放射線固体検出器１０における対向辺１０ｂからの距離が互いに異なるように配設したものである。このため、接続部１５ｂを一列に配設する場合と比較して、エレメント１５ａの間隔を小さくすることができる。したがって、放射線固体検出器１０の画素密度を向上させることができる。
【００３７】
次いで、本発明の第２の実施形態について説明する。第２の実施形態は上記第１の実施の形態と比較して、放射線固体検出器の方式を変更したものである。図７は第２の実施形態による放射線固体検出器の概略図、図８は放射線固体検出器とプリント基板との接続態様の詳細を示す図である。
【００３８】
第２の実施形態による放射線固体検出器１１０は、光変換方式かつＴＦＴ読出方式の放射線放射線固体検出器であり、静電潜像を読み取る際に読取光で走査する必要がなく、電気的に読み取ることができるものである。
【００３９】
この放射線固体検出器１１０は、ガラス基板１１１上に画像情報を担持する放射線を検出する固体検出部１２０が形成されたものである。
【００４０】
固体検出部１２０は、光電変換部１２１ａと蓄電部１２１ｂとからなる固体検出素子としての光電変換素子１２１および蓄電部１２１ｂに蓄電した信号電荷を転送するＴＦＴからなる転送部１２２が行列状に形成されたものである。なお、固体検出部１２０においては、配線ＶＢに不図示の電源部からバイアス電圧が印加される。
【００４１】
この放射線固体検出器１１０のサイズは長辺２４ｃｍ×短辺１８ｃｍで、長辺方向が主走査方向、短辺方向が副走査方向となるように撮影台内（不図示）に収容されている。なお、長辺３０ｃｍ×短辺２４ｃｍのものも使用可能である。
【００４２】
図８に示すように、被検体に対向する被写体側辺１１０ａと対向する対向辺１１０ｂにおいて、放射線固体検出器１１０に記録されている画像情報を画像信号として検出するための多数のエレメント（信号用線状配線）１２７ａが、順次隣接する数本〜百本程度のエレメント１２７ａ毎にＴＡＢフィルム１３２上に形成されたプリントパターン（不図示）を介してプリント基板１３１と接続されている。なお、エレメント１２７ａは被検体側辺１１０ａおよび対向辺１１０ｂと略直交して延在している。また、対向辺１１０ｂが本願発明の直交辺に対応する。
【００４３】
また、エレメント１２７ａの接続部１２７ｂは、上記第１の実施形態と同様に、図３に示すように隣接するエレメント１２７ａの接続部１２７ｂの対向辺１１０ｂからの距離が互いに異なるように配設されている。なお、図４に示すように隣接するエレメント１２７ａのうち、接続部１２７ｂが対向辺１１０ｂに近くなる方のエレメント１２７ａを屈曲させるようにしてもよい。
【００４４】
また、対向辺１１０ｂと直交する直交辺１１０ｃにおいて、放射線固体検出器１１０のエレメント（走査用線状配線）１２８ａが、順次隣接する数本〜百本程度のエレメント１２８ａ毎にＴＡＢフィルム１３５上に形成されたプリントパターン（不図示）を介してプリント基板１３４と接続されている。なお、エレメント１２８ａは被検体側辺１１０ａおよび対向辺１１０ｂと略平行に（すなわち直交辺１１０ｃ，１１０ｄと略直交して）延在している。また、直交辺１１０ｃが本願発明の他の直交辺に対応する。
【００４５】
また、エレメント１２８ａの接続部１２８ｂは、図９に示すように隣接するエレメント１２８ａの接続部１２８ｂの直交辺１１０ｃからの距離が互いに異なるように配設されている。なお、上記図４と同様に隣接するエレメント１２８ａのうち、接続部１２８ｂが辺１１０ｃに近くなる方のエレメント１２８ａを屈曲させるようにしてもよい。
【００４６】
プリント基板１３１上には、固体検出部１２０から列毎にエレメント１２７ａを介して転送された信号電荷を外部に読み出すチャージアンプ１４１、コンデンサ１４３、この両者に接続されたＳＷ（スイッチ）１４４、バッファアンプ１４２、バッファアンプ１４２に接続されたＳＷ１４５、主走査パルス発生器を含むシフトレジスタ１４９、Ａ／Ｄ変換部（不図示）、およびメモリ（不図示）が設けられている。チャージアンプ１４１やコンデンサ１４３等は、光電変換素子１２１の縦列分だけ設けられている。ＳＷ１４４、１４５は主走査手段としてのシフトレジスタ１４９と接続されている。
【００４７】
また、プリント基板１３４上には、行毎に各ＴＦＴのゲートとエレメント１２８ａを介して共通に接続された副走査パルス発生器１４８が設けられている。
【００４８】
この固体検出部１２０の放射線検出面側には不図示の蛍光体が設けられており、被検体（例えば乳房）を透過した放射線を蛍光体に照射すると、放射線の線量に応じた光が蛍光体から発せられ、放射線の線量に応じた電荷が光電変換部１２１ａで発生し蓄電部１２１ｂに蓄電される。次に図中最上部のエレメント１２８ａから各ライン毎に順次オン状態にして各エレメント１２８ａに接続された転送部１２２をオンさせると、蓄電部１２１ｂに蓄電された電荷がライン毎（１ライン分同時に）にチャージアンプ１４１を通して電圧信号に変換され、コンデンサ１４３に転送される。コンデンサ１４３はバッファアンプ１４２を介してＳＷ１４５により読み出される。そしてシフトレジスタ１４９がＳＷ１４５を切り替えることにより並列信号の直列変換が行われてＡ／Ｄ変換部へ出力され、Ａ／Ｄ変換部でＡ／Ｄ変換され、デジタルの画像信号としてメモリに格納される。この際、１ライン毎に、シフトレジスタ１４９によりＳＷ１４５を順次切り換えながら、その１ライン分の画像信号をＡ／Ｄ変換部に出力することによって、固体検出部１２０内に蓄積された信号電荷のライン読出しを行う。
【００４９】
上記のように構成された第２の実施形態においても、第１の実施形態と同等の効果を得ることができる。
【００５０】
なお、上記第２の実施形態においては、ＴＡＢフィルム１３２にはプリントパターンのみを形成しているが、第１の実施形態と同様にＴＡＢフィルム３２にチャージアンプＩＣ３３を配設してもよい。この場合、上記第１の実施形態と同様にチャージアンプＩＣ３３を放射線固体検出器１１０の対向辺１１０ｂに対して傾斜させるようにすることが好ましい。この場合、プリント基板１３１上には、チャージアンプ１４１、バッファアンプ１４２、コンデンサ１４３、ＳＷ１４４，１４５、およびシフトレジスタ１４９は不要となる。なお、チャージアンプ１４１、バッファアンプ１４２、コンデンサ１４３、ＳＷ１４４，１４５、およびシフトレジスタ１４９に代えて、プリント基板１３１上にチャージアンプＩＣ３３を配設してもよい。
【００５１】
また、上記第２の実施形態においては、図１０に示すように放射線固体検出器１１０′を２つの放射線固体検出器１１０Ａ，１１０Ｂに分割して構成してもよい。なお、図１０に示す放射線固体検出器１１０′においては、図８に示す放射線固体検出器とは異なり、エレメント１２７ａが直交辺１１０ｃ、１１０ｄと略直交し、エレメント１２８ａが対向辺１１０ｂと略直交して延在するように配設されている。さらに、これに対応して、対向辺１１０ｂと略直交する直交辺１１０ｃ，１１０ｄにおいてＴＡＢフィルム１３２を介してプリント基板１３１が接続され、対向辺１１０ｂにおいてＴＡＢフィルム１３５を介してプリント基板１３４が接続されている。
【００５２】
さらに、図１１に示すように分割しない１つの放射線固体検出器１１０″に対してＴＡＢフィルム１３２を両側から交互に接続することもできる。この場合、接続部の密度を同じにするならば、図８および図１０に示す放射線固体検出器１１０，１１０′と比較して２倍の信号線の接続が可能になる。ここで、図１に示したような光読取方式の放射線固体検出器の場合、主に信号用線状配線の密度によって得られる画像の精細度が決まる（線状の走査光の幅は信号線の間隔より十分狭くできるため）ので、本発明による接続部の態様は放射線固体検出器により得られる画像の高精細化に有利である。
【００５３】
一方、走査用線状配線についても、乳房撮影用の放射線固体検出器のように、被検体に対向する被写体側辺ぎりぎりまで撮像領域にするために接続部を配置できないという制約がなければ、被検体側辺およびこれに対向する辺の両側からのプリント基板の接続が可能になるため、２倍の走査用線状配線を接続できることとなる。このように、接続密度を向上させる本発明の接続形態を両側接続と併用することにより、大面積の放射線固体検出器において、従来ない高精細の画像形成が可能になる。
【図面の簡単な説明】
【００５４】
【図１】本発明の第１の実施形態による放射線固体検出器の概略図
【図２】放射線固体検出器とプリント基板との接続態様の詳細を示す図
【図３】ＴＡＢフィルム上におけるエレメントの接続部の配置の例を示す図
【図４】ＴＡＢフィルム上におけるエレメントの接続部の配置の他の例を示す図
【図５】ＴＡＢフィルムにおけるチャージアンプＩＣの配置の態様を示す図
【図６】チャージアンプＩＣ、プリント基板および高電圧電源部の詳細、並びにこれらと放射線固体検出器との接続態様を示すブロック図
【図７】第２の実施形態による放射線固体検出器の概略図（その１）
【図８】放射線固体検出器とプリント基板との接続態様の詳細を示す図
【図９】ＴＡＢフィルム上におけるエレメントの接続部の配置の例を示す図
【図１０】第２の実施形態による放射線固体検出器の概略図（その２）
【図１１】第２の実施形態による放射線固体検出器の概略図（その３）
【図１２】従来のＴＡＢフィルム上におけるエレメントの接続部の配置の例を示す図
【符号の説明】
【００５５】
１０，１１０，１１０Ａ，１１０Ｂ    放射線固体検出器
１５ａ，１２７ａ    エレメント（信号用線状配線）
１５ｂ，１２７ｂ，１２８ｂ    接続部
３１，１３１，１３４    プリント基板
３２，１３２，１３５    ＴＡＢフィルム
３３    チャージアンプＩＣ
１２８ａ    エレメント（走査用線状配線）
【図１】
2008032705.tif 000003
【図２】
2008032705.tif 000004
【図３】
2008032705.tif 000005
【図４】
2008032705.tif 000006
【図５】
2008032705.tif 000007
【図６】
2008032705.tif 000008
【図７】
2008032705.tif 000009
【図８】
2008032705.tif 000010
【図９】
2008032705.tif 000011
【図１０】
2008032705.tif 000012
【図１１】
2008032705.tif 000013
【図１２】
2008032705.tif 000014